(57)【要約】【課題】水平な支持バーへの取り付けを容易にしたディスプレイ装置を提供する。【解決手段】ディスプレイ装置１はキャビネット１０の背面にクリンチ部材１２を有する。クリンチ部材１２は側面形状略半円形で、水平軸線まわりに回動するものであり、キャビネット１０内に隠れる第１姿勢と、キャビネット１０から出てディスプレイ装置取付用の水平な支持バー３０を抱える第２姿勢と、をとり得る。ディスプレイ装置１０を梱包箱に収納する際、あるいはスタンドを利用して立てる場合はクリンチ部材１２を第１姿勢にしてキャビネット１０内に隠しておき、ディスプレイ装置１を支持バー３０に取り付ける場合はクリンチ部材１２を第２姿勢にして支持バー３０を抱えさせる。【選択図】図３
2009037038.tif 000002
【特許請求の範囲】
【請求項１】
水平軸線まわりに回動する側面形状略半円形のクリンチ部材をキャビネット背面に有し、前記クリンチ部材は、前記キャビネット内に隠れる第１姿勢と、前記キャビネットから出てディスプレイ装置取付用の水平な支持バーを抱える第２姿勢と、をとり得ることを特徴とするディスプレイ装置。
【請求項２】
前記クリンチ部材と前記キャビネットの間には、クリンチ部材を第２姿勢に維持する係合部が形成されていることを特徴とする請求項１に記載のディスプレイ装置。
【請求項３】
前記クリンチ部材を前記第２姿勢方向に付勢するばねと、前記ばねによる付勢力に抗して前記クリンチ部材を前記第１姿勢に留めるロック装置が設けられていることを特徴とする請求項１に記載のディスプレイ装置。
【請求項４】
前記ロック装置はロック解除ボタンを有し、このロック解除ボタンが前記支持バーに接触することにより、ロック装置はロック状態からロック解除状態に移行することを特徴とする請求項３に記載のディスプレイ装置。
【発明の詳細な説明】
【技術分野】
【０００１】
本発明は、テレビジョン受像器やコンピュータモニター等のディスプレイ装置に関する。
【背景技術】
【０００２】
最近のディスプレイ装置は、液晶パネルやプラズマパネルといった平面表示手段を用いるものが殆どである。そして全体形状が薄型になっており、小型のものではスタンドと壁掛けのどちらかの設置方式を選択できるものが多い。
【０００３】
ディスプレイ装置を壁に掛ける仕組みとしてはこれまでにも様々なものが提案されており、その例を特許文献１−３に見ることができる。特許文献１にはチルト機構を備えた壁掛具が記載されている。特許文献２にも同様の壁掛具が記載されている。特許文献３にはキャビネットの側壁に配設した腕部材により壁掛けを可能としたテレビジョン受像器が開示されている。
【特許文献１】特開２００２−３２０３４号公報
【特許文献２】特開２０００−３１３８号公報
【特許文献３】特開２００５−５７４２４号公報
【発明の開示】
【発明が解決しようとする課題】
【０００４】
ディスプレイ装置を取り付けるに際し、取り付け対象として水平な支持バーが選定されることがある。本発明は、水平な支持バーへの取り付けを容易にしたディスプレイ装置を提供することを目的とする。
【課題を解決するための手段】
【０００５】
上記目的を達成するために本発明ディスプレイ装置は、水平軸線まわりに回動する側面形状略半円形のクリンチ部材をキャビネット背面に有し、前記クリンチ部材は、前記キャビネット内に隠れる第１姿勢と、前記キャビネットから出てディスプレイ装置取付用の水平な支持バーを抱える第２姿勢と、をとり得ることを特徴としている。
【０００６】
この構成によると、ディスプレイ装置を梱包箱に収納する際、あるいはスタンドを利用して立てる場合はクリンチ部材を第１姿勢にしてキャビネット内に隠しておき、ディスプレイ装置を支持バーに取り付ける場合はクリンチ部材を第２姿勢にして支持バーを抱えさせることにより、ディスプレイ装置を安定して取り付けることができる。
【０００７】
本発明は、上記構成のディスプレイ装置において、前記クリンチ部材と前記キャビネットの間には、クリンチ部材を第２姿勢に維持する係合部が形成されていることを特徴としている。
【０００８】
この構成によると、クリンチ部材が支持バーから外れないようにすることができ、ディスプレイ装置の落下を懸念せずに済む。
【０００９】
本発明は、上記構成のディスプレイ装置において、前記クリンチ部材を前記第２姿勢方向に付勢するばねと、前記ばねによる付勢力に抗して前記クリンチ部材を前記第１姿勢に留めるロック装置が設けられていることを特徴としている。
【００１０】
この構成によると、ロック解除動作を行うだけでクリンチ部材を第１姿勢から第２姿勢に変位させ、支持バーを抱えさせることができる。
【００１１】
本発明は、上記構成のディスプレイ装置において、前記ロック装置はロック解除ボタンを有し、このロック解除ボタンが前記支持バーに接触することにより、ロック装置はロック状態からロック解除状態に移行することを特徴としている。
【００１２】
この構成によると、ディスプレイ装置を支持バーにあてがうだけでロックを解除し、クリンチ部材により支持バーを抱えることができる。
【発明の効果】
【００１３】
本発明によると、ディスプレイ装置を梱包箱に収納するときやスタンドを利用して立てる場合はクリンチ部材を第１姿勢にしてキャビネット内に隠し、支持バーに取り付けるときはクリンチ部材を第２姿勢にして支持バーを抱えさせればよく、第１姿勢と第２姿勢の切り換えに難しい操作は必要でないから、ディスプレイ装置の使い勝手を向上させることができる。
【発明を実施するための最良の形態】
【００１４】
以下、図１−３に基づき本発明の第１実施形態を説明する。図１は水平な支持バーに引っ掛けた状態のディスプレイ装置の背面斜視図、図２及び図３はディスプレイ装置のキャビネットの部分拡大断面図にして、図２はクリンチ部材が第１姿勢にあるときのもの、図３はクリンチ部材が第２姿勢にあるときのものである。
【００１５】
ディスプレイ装置１は薄型のテレビジョン受像器またはコンピュータのモニターであり、
合成樹脂製のキャビネット１０を備える。キャビネット１０の背面には、水平に固定された断面円形の支持バー３０が半分だけ入り込む断面半円形の水平な溝部１１が形成されている。
【００１６】
溝部１１には、左右に間隔を置いて２箇所にクリンチ部材１２が配置される。クリンチ部材１２は側面形状略半円形で、その半円の半径は溝部１１の半径（正確に言えば溝部１１の凸面の半径）よりも大きく、溝部１１を囲むようにその外側に位置している。溝部１１の上下には水平なスリット１３、１４が形成され、クリンチ部材１２の一端は上方のスリット１３を通じてキャビネット１０の外側（図の左側がキャビネット１０の内側、右側が外側である）に突出する。突出端には半円の中心方向と反対側を向くフック１５が形成されている。クリンチ部材１２の、フック１５と反対側の端には、放射方向外向きに延びるストッパ１６が形成される。ストッパ１６はスリット１３、１４を通過できず、このためクリンチ部材１２がキャビネット１０から脱出することはない。
【００１７】
クリンチ部材１２は、図２のように大半がキャビネット１０の内部に隠れた第１姿勢と、図３のようにキャビネット１０から出て支持バー３０を抱える第２姿勢とをとり得るものである。
【００１８】
図２のようにクリンチ部材１２を第１姿勢にした状態では、クリンチ部材１２の突出が小さいので、図示しない梱包箱にディスプレイ装置１を入れたり、ディスプレイ装置１をスタンドで立てたりするのに適した状態となる。この状態を安定させるため、キャビネット１０とクリンチ部材１２の間に弾性係合部を設けておくとよい。
【００１９】
溝部１１に支持バー３０を入れた上で、図３のようにクリンチ部材１２を第２姿勢にし、支持バー３０を抱えさせる。フック１５はスリット１４に押し込み、キャビネット１０の内側でスリット１４の縁に係合させる。フック１５とスリット１４の縁はクリンチ部材１２を第２姿勢に維持する係合部を構成する。この係合部によりクリンチ部材１２は支持バー３０から外れにくくなるので、ディスプレイ装置１０の落下を懸念せずに済む。
【００２０】
次に、本発明の第２実施形態を図４及び図５に基づき説明する。図４及び図５はディスプレイ装置のキャビネットの部分拡大断面図にして、図４はクリンチ部材が第１姿勢にあるときのもの、図５はクリンチ部材が第２姿勢にあるときのものである。第１実施形態と機能的に共通する構成要素には第１実施形態の説明で用いたのと同じ符号を付し、説明は省略する。
【００２１】
第２実施形態では、キャビネット１０の内側において、溝部１１を包むように断面半円形の壁部１７が形成され、溝部１１と壁部１７の間に断面半円形の収納部１８が形成されている。第１実施形態で存在した下方のスリット１４は、第２実施形態には存在しない。
【００２２】
第１実施形態のクリンチ部材１２は両端にフック１５とストッパ１６を有していたが、第２実施形態のクリンチ部材１２ａにはそれがない。その代わりクリンチ部材１２ａは、半円の中心方向に向けて、断面三角形の突起１９を突出させている。突起１９は溝部１１を貫通するテーパ穴２０に係合する。突起１９とテーパ穴２０の組み合わせにより、クリンチ部材１２ａを第１姿勢に留めるロック装置２１が形成される。突起１９がロック解除ボタンの役割を果たす。
【００２３】
収納部１８には圧縮コイルばね２２が入れられる。圧縮コイルばね２２はクリンチ部材１２ａの端に当たり、クリンチ部材１２ａを第２姿勢方向に付勢する。
【００２４】
クリンチ部材１２ａは、支持バー３０を抱えていないときは図４の第１姿勢にあり、この状態がロック装置２１で維持される。突起１９の先端は溝部１１の中に突出している。図５のように支持バー３０を溝部１１に入れ、支持バー３０の外面で突起１９を押し込むと、ロック装置２１はロック状態を維持できなくなってロック解除状態に移行し、突起１９がスリット１３の縁に係合するところまで、クリンチ部材１２ａは圧縮コイルばね２２の付勢力で一気に変位し、支持バー３０を抱える。これにより、キャビネット１０の裏側に手を回さなくてもクリンチ部材１２ａを第２姿勢にすることができる。この構成は、支持バー３０が壁面に接近していてキャビネット１０の裏側に手を差し込むことが難しい場合、特に有利である。
【００２５】
以上本発明の各実施形態につき説明したが、発明の主旨を逸脱しない範囲でさらに種々の変更を加えて実施することができる。
【産業上の利用可能性】
【００２６】
本発明は薄型で比較的小型のディスプレイ装置に利用可能である。
【図面の簡単な説明】
【００２７】
【図１】水平な支持バーに引っ掛けた状態のディスプレイ装置の背面斜視図
【図２】ディスプレイ装置のキャビネットの部分拡大断面図にして、クリンチ部材が第１姿勢にあるときのもの
【図３】ディスプレイ装置のキャビネットの部分拡大断面図にして、クリンチ部材が第２姿勢にあるときのもの
【図４】第２実施形態に係るディスプレイ装置のキャビネットの部分拡大断面図にして、クリンチ部材が第１姿勢にあるときのもの
【図５】第２実施形態に係るディスプレイ装置のキャビネットの部分拡大断面図にして、クリンチ部材が第２姿勢にあるときのもの
【符号の説明】
【００２８】
１    ディスプレイ装置
１０  キャビネット
１１  溝部
１２、１２ａ  クリンチ部材
１５  フック
１６  ストッパ
１９  突起（ロック解除ボタン）
２１  ロック装置
２２  圧縮コイルばね
【図１】
2009037038.tif 000003
【図２】
2009037038.tif 000004
【図３】
2009037038.tif 000005
【図４】
2009037038.tif 000006
【図５】
2009037038.tif 000007